【手続補正書】
【提出日】令和2年11月25日(2020.11.25)
【手続補正１】
【補正対象書類名】特許請求の範囲
【補正対象項目名】全文
【補正方法】変更
【補正の内容】
【特許請求の範囲】
【請求項１】
コンピュータを、学習対象言語に関する音声情報記憶手段と、
音声情報を再生単位として再生させるインデックス情報を記憶するインデックス記憶手段としての機能を持たせ、前記音声情報を任意の範囲内で再生可能な再生手段を音声再生装置として機能させるための音声再生プログラムであって、
前記インデックス情報は、前記音声情報中の任意の再生単位の位置を特定する位置情報と前記再生単位を識別する識別情報とが関連付けられており、
前記再生手段は、前記音声情報をインデックス情報に基づいて再生単位ごとに再生することを特徴とする音声再生プログラム。
【請求項２】
前記インデックス情報は、前記再生単位に対応する各再生単位の種別を示す識別情報を含むことを特徴とする、請求項１に記載の音声再生プログラム。
【請求項３】
前記再生手段は、前記再生単位の種別に関する識別情報を判定する判定手段と、再生される前記音声情報をリピート再生するリピート制御部を有し、
前記リピート制御部は、前記判定手段により種別判定された音声情報としての再生単位に付与された種別に応じて、リピート回数、再生速度を含むタスクの設定を設定値変更可能に前記再生手段の再生処理を行うことを特徴とする、請求項２に記載の音声再生プログラム。
【請求項４】
前記リピート制御部は、前記再生単位の音声情報について、複数のタスクが連結して１つのタスク群としての再生を行い、前記連結したタスクごとにリピート回数、再生速度の設定を設定可能に前記再生処理部のリピート再生処理を行うことを特徴とする、請求項３に記載の音声再生プログラム。
【請求項５】
前記再生手段は、種別が異なる複数の再生単位が連続再生する１つのみなし再生単位となり、前記みなし再生単位の種別に応じたリピート回数、再生速度で再生するタスクとして再生処理を行うことを特徴とする請求項３又は４に記載の音声再生プログラム。
【請求項６】
前記再生手段は、前記タスクの設定値変更において、タスクの再生をするか否かを切り替える学習選択スイッチ機能を有することを特徴とする、請求項３から５のいずれか１つに記載の音声再生プログラム。
【請求項７】
前記インデックスデータに含まれる再生単位の種別には、第１言語と、前記第１言語の訳に対応する学習対象言語を含み、
前記再生手段は、前記第１言語と学習対象言語にそれぞれ与えられた識別情報を交換して再生処理を行う、言語反転機能を有することを特徴とする、請求項３から６のいずれか１つに記載の音声再生プログラム。
【請求項８】
前記インデックスデータに含まれる再生単位の種別には、第１言語と、前記第１言語の訳に対応する学習対象言語を含み、
前記再生手段は、前記第１言語と学習対象言語にそれぞれ与えられた再生順を逆転しての再生処理の切り替えを行う再生優先順位変更機能を有することを特徴とする、請求項３から７のいずれか１つに記載の音声再生プログラム。
【請求項９】
前記インデックス情報は、前記音声情報に含まれない第２音声情報を再生する再生単位を含むことを特徴とする、請求項１から８に記載の音声再生プログラム。
【請求項１０】
前記第２音声情報は、音声合成により再生可能なテキストデータであり、前記再生手段によりテキスト読み上げにより再生されることを特徴とする、請求項９に記載の音声再生プログラム。
【請求項１１】
前記音声情報を再生させながら、適宜のタイミングで前記音声情報を区切り、当該区切りで囲まれた位置を１つの再生単位とする前記インデックス情報を作成する、インデックスデータ作成手段をさらに有することを特徴とする、請求項１から１０のいずれか１つに記載の音声再生プログラム。
【請求項１２】
前記インデックスデータ作成手段は、前記第２音声情報としての音声合成により再生可能なテキストデータを入力するテキスト入力手段を有することを特徴とする、請求項１１に記載の音声再生プログラム。
【請求項１３】
前記インデックスデータをネットワークを介して送受信可能な送受信手段をさらに備えることを特徴とする、請求項１から１２のいずれか１つに記載の音声再生プログラム。
【請求項１４】
学習対象言語に関する音声情報記憶手段と、
音声情報を再生単位として再生させるインデックス情報を記憶するインデックス記憶手段と、前記音声情報を任意の範囲内で再生可能な再生手段を有する音声再生装置であって、
前記インデックス情報は、前記音声情報中の任意の再生単位の位置を特定する位置情報と前記再生単位を識別する識別情報とが関連付けられており、
前記再生手段は、前記音声情報をインデックス情報に基づいて再生単位ごとに再生することを特徴とする音声再生装置。
【手続補正２】
【補正対象書類名】明細書
【補正対象項目名】００１０
【補正方法】変更
【補正の内容】
【００１０】
本発明の第１態様によれば、コンピュータを、学習対象言語に関する音声情報記憶手段と、
音声情報を再生単位として再生させるインデックス情報を記憶するインデックス記憶手段としての機能を持たせ、前記音声情報を任意の範囲内で再生可能な再生手段を音声再生装置として機能させるための音声再生プログラムであって、
前記インデックス情報は、前記音声情報中の任意の再生単位の位置を特定する位置情報と前記再生単位を識別する識別情報とが関連付けられており、
前記再生手段は、前記音声情報をインデックス情報に基づいて再生単位ごとに再生することを特徴とする音声再生プログラムを提供する。
【手続補正３】
【補正対象書類名】明細書
【補正対象項目名】００１１
【補正方法】変更
【補正の内容】
【００１１】
本発明の第２態様によれば、前記インデックス情報は、前記再生単位に対応する各再生単位の種別を示す識別情報を含むことを特徴とする、第1態様の音声再生プログラムを提供する。
【手続補正４】
【補正対象書類名】明細書
【補正対象項目名】００１２
【補正方法】変更
【補正の内容】
【００１２】
本発明の第３態様によれば、前記再生手段は、前記再生単位の種別に関する識別情報を判定する判定手段と、再生される前記音声情報をリピート再生するリピート制御部を有し、
前記リピート制御部は、前記判定手段により種別判定された音声情報としての再生単位に付与された種別に応じて、リピート回数、再生速度を含むタスクの設定を設定値変更可能に前記再生手段の再生処理を行うことを特徴とする、第２態様の音声再生プログラムを提供する。
【手続補正５】
【補正対象書類名】明細書
【補正対象項目名】００１３
【補正方法】変更
【補正の内容】
【００１３】
本発明の第４態様によれば、前記リピート制御部は、前記再生単位の音声情報について、複数のタスクが連結して１つのタスク群としての再生を行い、前記連結したタスクごとにリピート回数、再生速度の設定を設定可能に前記再生処理部のリピート再生処理を行うことを特徴とする、第３態様の音声再生プログラムを提供する。
【手続補正６】
【補正対象書類名】明細書
【補正対象項目名】００１４
【補正方法】変更
【補正の内容】
【００１４】
本発明の第５態様によれば、前記再生手段は、種別が異なる複数の再生単位が連続再生する１つのみなし再生単位となり、前記みなし再生単位の種別に応じたリピート回数、再生速度で再生するタスクとして再生処理を行うことを特徴とする第３又は第４態様の音声再生プログラムを提供する。
【手続補正７】
【補正対象書類名】明細書
【補正対象項目名】００１５
【補正方法】変更
【補正の内容】
【００１５】
本発明の第６態様によれば、前記再生手段は、前記タスクの設定値変更において、タスクの再生をするか否かを切り替える学習選択スイッチ機能を有することを特徴とする、第３から第５態様のいずれか１つの音声再生プログラムを提供する。
【手続補正８】
【補正対象書類名】明細書
【補正対象項目名】００１６
【補正方法】変更
【補正の内容】
【００１６】
本発明の第７態様によれば、前記インデックスデータに含まれる再生単位の種別には、第１言語と、前記第１言語の訳に対応する学習対象言語を含み、
前記再生手段は、前記第１言語と学習対象言語にそれぞれ与えられた識別情報を交換して再生処理を行う、言語反転機能を有することを特徴とする、第３から第６態様のいずれか１つの音声再生プログラムを提供する。
【手続補正９】
【補正対象書類名】明細書
【補正対象項目名】００１７
【補正方法】変更
【補正の内容】
【００１７】
本発明の第８態様によれば、前記インデックスデータに含まれる再生単位の種別には、第１言語と、前記第１言語の訳に対応する学習対象言語を含み、
前記再生手段は、前記第１言語と学習対象言語にそれぞれ与えられた再生順を逆転しての再生処理の切り替えを行う再生優先順位変更機能を有することを特徴とする、第３から第７態様のいずれか１つの音声再生プログラムを提供する。
【手続補正１０】
【補正対象書類名】明細書
【補正対象項目名】００１８
【補正方法】変更
【補正の内容】
【００１８】
本発明の第９態様によれば、前記インデックス情報は、前記音声情報に含まれない第２音声情報を再生する再生単位を含むことを特徴とする、第１から第８態様の音声再生プログラムを提供する。
【手続補正１１】
【補正対象書類名】明細書
【補正対象項目名】００１９
【補正方法】変更
【補正の内容】
【００１９】
本発明の第１０態様によれば、前記第２音声情報は、音声合成により再生可能なテキストデータであり、前記再生手段によりテキスト読み上げにより再生されることを特徴とする、第９態様の音声再生プログラムを提供する。
【手続補正１２】
【補正対象書類名】明細書
【補正対象項目名】００２０
【補正方法】変更
【補正の内容】
【００２０】
本発明の第１１態様によれば、前記音声情報を再生させながら、適宜のタイミングで前記音声情報を区切り、当該区切りで囲まれた位置を１つの再生単位とする前記インデックス情報を作成する、インデックスデータ作成手段をさらに有することを特徴とする、第１から第１０態様のいずれか１つの音声再生プログラムを提供する。
【手続補正１３】
【補正対象書類名】明細書
【補正対象項目名】００２１
【補正方法】変更
【補正の内容】
【００２１】
本発明の第１２態様によれば、前記インデックスデータ作成手段は、前記第２音声情報としての音声合成により再生可能なテキストデータを入力するテキスト入力手段を有することを特徴とする、第１１態様の音声再生プログラムを提供する。
【手続補正１４】
【補正対象書類名】明細書
【補正対象項目名】００２２
【補正方法】変更
【補正の内容】
【００２２】
本発明の第１３態様によれば、前記インデックスデータをネットワークを介して送受信可能な送受信手段をさらに備えることを特徴とする、第１から第１２態様のいずれか１つの音声再生プログラムを提供する。
【手続補正１５】
【補正対象書類名】明細書
【補正対象項目名】００２３
【補正方法】変更
【補正の内容】
【００２３】
本発明の第１４態様によれば、学習対象言語に関する音声情報記憶手段と、
音声情報を再生単位として再生させるインデックス情報を記憶するインデックス記憶手段と、前記音声情報を任意の範囲内で再生可能な再生手段を有する音声再生装置であって、
前記インデックス情報は、前記音声情報中の任意の再生単位の位置を特定する位置情報と前記再生単位を識別する識別情報とが関連付けられており、
前記再生手段は、前記音声情報をインデックス情報に基づいて再生単位ごとに再生することを特徴とする音声再生装置を提供する。